(57)【要約】【課題】ホストコンピュータの調理データを、インターネットを介して手軽に高周波加熱装置に取り込むことができるようにする。【解決手段】インターネット７より提供される調理データの制御情報を元に制御手段５により、加熱手段４を制御して食品３を加熱する高周波加熱装置において、持運び自在でインターネット７と通信ができるとともに、赤外線による通信が可能な外部機器１２と、赤外線による通信が可能な赤外線通信手段１３を備え、食品３の調理データを前記外部機器１２と前記赤外線通信手段１３とで送受信できるようにする【選択図】　図１
2004144409.tif 000002
【特許請求の範囲】
【請求項１】
インターネット（７）より提供される調理データの制御情報を元に制御手段（５）により、加熱手段（４）を制御して食品（３）を加熱する高周波加熱装置において、持運び自在でインターネット（７）と通信ができるとともに、赤外線による通信が可能な外部機器（１２）と、赤外線による通信が可能な赤外線通信手段（１３）を備え、調理データを前記外部機器（１２）と前記赤外線通信手段（１３）とで送受信できることを特徴とする高周波加熱装置。
【請求項２】
外部機器（１２）から赤外線通信手段（１３）で受信した調理データを記憶する記憶手段（６）を備え、既存の調理データを外部機器（１２）から赤外線通信手段（１３）で受信した新調理データに自動更新することを特徴とする請求項１記載の高周波加熱装置。
【発明の詳細な説明】
【０００１】
【発明の属する技術分野】
本発明は、赤外線の通信機能を持った高周波加熱装置に関するものである。
【０００２】
【従来の技術】
【特許文献１】特開２００１−３３６７５１号公報
従来、自動調理を行なう場合、食品の加熱条件などをマイコンに予め入力しておき、調理するとき操作部から調理したい食品の加熱条件などを引き出し、加熱を行なうものであった。
【０００３】
しかし、加熱条件を変えると、例えば４人前を３人前にするとか、食材を一部変更したいときは、自動調理とならず、加熱条件、例えばヒーター機能の選択、加熱時間の設定および温度の設定など面倒な手動調理に変えざるを得なかった。
また、新しい食品の調理データを自動調理に追加したいときも多々ある。
【０００４】
このような場合、インターネットから上記に関する情報を引き出し、変更したい情報や、追加したい情報に対応する装置について下記に説明する。
【０００５】
図３において、電子レンジシステムは宅外にはインターネット２５とこれに接続されたホストコンピュータ２４が設けられ、宅内には電子レンジ２１、インターネット２５にモデム２６を介して接続されるパソコン２２、およびこのパソコン２２と電子レンジ２１との間の信号を変換しながら通信を中継して両者を接続するための中継装置があり、かつＡＣアダプタ２８から電源供給される中継ボックス２３が設けられる。
【０００６】
宅内において、電子レンジ２１と中継ボックス２３とは３線ケーブル２９を介して着脱自在に接続される。この接続時には、図示されるように３線ケーブル２９の一端にあるコネクタＣＮが電子レンジ２１の入出力端子２１ａに接続される。
【０００７】
また、宅内においてパソコン２２と中継ボックス２３とはＲＳ−２３２Ｃに従って通信するため、ＲＳ−２３２Ｃケーブル２７を介して着脱自在に接続されている。
【０００８】
次に、このような電子レンジシステムについての動作について説明する。
【０００９】
使用者がパソコン２２からインターネット２５を介してホストコンピュータ２４から公開されている調理情報を引き出し、この調理情報をパソコン２２から電子レンジ２１のメモリーにダウンロードする。この情報を元に使用者は電子レンジ２１で調理を行なうものであった。（例えば、特開２００１−３３６７５１号公報参照）
【００１０】
【発明が解決しようとする課題】
上記従来の技術にあっては、電子レンジ２１にインターネット２５などの宅外ネットワークとの通信手段や、インターネット２５から提供される情報を処理するためのパソコン２２や中継ＢＯＸ２３、３線ケーブル２９などを備える必要があり、システム価格が高くなるという問題があった。
また、パソコン２２をプラットフォームとして用いる場合、パソコン２２には、デスクトップ型などのように据え置き型のものや、有線回線を介してインターネット２５などの宅外ネットワークに接続しているものなど、移動に適さない形態で使用されているケースが多く存在している上、パソコン２２の使用目的上その設置場所は主として台所等に設置している電子レンジ２１と離れた場所に設置されるケースが数多く存在している。
【００１１】
従って、このように離れた場合、パソコン２１を電子レンジ２１に接続するには長い専用の回線が必要になってしまい使用勝手上問題があった。
【００１２】
【課題を解決するための手段】
本発明は上記の課題を解決するために、インターネットより提供される調理データの制御情報を元に制御手段により、加熱手段を制御して食品を加熱する高周波加熱装置において、持運び自在でインターネットと通信ができるとともに、赤外線による通信が可能な外部機器と、赤外線による通信が可能な赤外線通信手段を本体に備え、調理データを前記外部機器と前記赤外線通信手段とで送受信できるようにしたものである。
【００１３】
【発明の実施の形態】
本発明は、インターネットより提供される調理データの制御情報を元に制御手段により、加熱手段を制御して食品を加熱する高周波加熱装置において、持運び自在でインターネットと通信ができるとともに、赤外線による通信が可能な外部機器と、赤外線による通信が可能な赤外線通信手段を備え、調理データを前記外部機器と前記赤外線通信手段とで送受信できるようにしたものである。
【００１４】
また、外部機器から赤外線通信手段で受信した調理データを記憶する記憶手段を備え、既存の調理データを外部機器から赤外線通信手段で受信した新調理データに自動更新するようにしたものである。
【００１５】
【実施例】
以下、本発明の実施例を図面に基づいて説明する。
【００１６】
図１は、本発明の一実施例を示す高周波加熱装置の外観斜視図で、１は本体である。２は食品３を収納する加熱室である。４ａは高周波を発生する高周波加熱手段である。４ｂはオーブン加熱手段で、主として食品３に焦げ目をつけるとき使用するものである。加熱手段４は前記高周波加熱手段４ａと前記オーブン加熱手段４ｂとで構成される。
【００１７】
５ａは加熱室２の外側面と本体１の側面との間に設けた制御基板である。５ｂは制御基盤５ａに組み込まれ、高周波加熱装置システムの動作をコントロールするマイコンである。これら制御基板５ａとマイコン５ｂを総称して制御手段５と称す。
【００１８】
６は調理データなどの情報を記憶する記憶手段で、その情報を制御手段５に必要に応じて入出力する。７は通信ネットワークのインターネットである。８はインターネット７からの情報や調理関連情報を表示する表示手段である。９は加熱機能を設定するときや情報の入出力、記憶等を指示する操作手段である。１０は本体１の前面右側に設けた操作パネルで、前記表示手段８や前記操作手段９などが備えられている。
【００１９】
１２はインターネット７と情報を送受信する外部機器である。この外部機器１２には携帯電話や情報形態端末などが使用され、インターネット７などから入手した調理データを赤外線により受発信可能な通信装置を内蔵している。１３は赤外線通信手段で、調理データを外部機器１２の赤外線により送受信可能となっている。この赤外線通信手段１３はマイコン５ｂに接続されている。外部機器１２で受信した情報は赤外線で赤外線通信手段１３へ送信される。１４はインターネット７を通して調理データなどの情報の発信源となるホストコンピュータである。また、このホストコンピュータ１４は使用者の問い合わせや機器、例えば本体１からの食品３の温度データなどが受信可能となっている。
【００２０】
図２は高周波加熱装置のシステムブロック図で、制御手段５に前記した加熱手段４、記憶手段６、表示手段８、操作手段９及び、赤外線通信手段１３が接続され、ホストコンピュータ１４と接続されたインターネット７との情報の送受信は外部機器１２と赤外線通信手段１３とで行なわれる。
【００２１】
次に、上記にて構成された本発明の作用について説明する。
【００２２】
新しい調理ソフトを高周波加熱装置に入力したい場合、携帯電話などの外部機器１２からインターネット７に接続し、自分の作りたい食品３の調理データをダウンロードする。外部機器１２から本体１への調理データの移行は、外部機器１２と赤外線通信手段１３とを向かい合わせ、外部機器１２から調理データを転送する事によって、赤外線通信手段１３から調理データが制御手段５に入力される。そして、制御手段５は調理データを記憶手段６に格納する。
【００２３】
新規に入力した調理を実施するときは、表示手段８の表示を見ながら、操作手段９を操作し、新しく入力した食品３を選択する。すると表示手段８に選択した調理データ、例えば食材、加熱機能、加熱時間および加熱温度などが表示され、使用者は表示に従い食材を準備し、準備した食品３を加熱室２に戴置し、操作手段９から加熱機能、例えば高周波加熱手段４ａやオーブン加熱手段４ｂのいずれか選択し、加熱温度や加熱時間などの加熱条件を入力して加熱が開始される。そして、設定された温度や加熱時間になると食品３の加熱は終了する。
【００２４】
また、季節によっては食材の含水率が異なる場合がある。例えばじゃがいもや米は収穫時と端境期では含水率がことなる。このようなものは調理によっては加熱時間、加熱温度などを変えなければおいしく仕上がらない場合がある。
【００２５】
このような時は、確認として調理したい食品３を選定すると調理データを赤外線通信手段１３から外部機器１２、インターネット７を介してホストコンピュータ１４に接続される。すると、ホストコンピュータ１４の調理データが新しく更新されているときは新調理データをホストコンピュータ１４からインターネット７、外部機器１２を介して赤外線通信手段１３に送信され、そして、この赤外線通信手段１３から制御手段５を経て記憶手段６へ送信される。
【００２６】
そして、記憶手段６に格納されている既存の調理データを新調理データに自動更新することにより失敗なく、おいしい調理が可能となる。
【００２７】
このように、持運び自在で、インターネット７と通信可能な外部機器１２と赤外線通信手段１３とにより新しい調理データを本体１の記憶手段６に追加したり、食品３の加熱条件を変えたりすることができるので、いつでも失敗なくおいしく食品３を仕上げることができる。
【００２８】
【発明の効果】
以上説明したように本発明によれば、インターネットより提供される調理データの制御情報を元に制御手段により、加熱手段を制御して食品を加熱する高周波加熱装置において、持運び自在でインターネットと通信ができるとともに、赤外線による通信が可能な外部機器と、赤外線による通信が可能な赤外線通信手段を備え、調理データを前記外部機器と前記赤外線通信手段とで送受信できようにしたものである。
【００２９】
また、外部機器から赤外線通信手段で受信した調理データを記憶する記憶手段を備え、既存の調理データを外部機器から赤外線通信手段で受信した新調理データに自動更新するようにしたことにより、誰でも容易に、インターネットなどの宅外ネットワークから調理データを取得でき、しかもシステム構成が安価な高周波加熱装置が構成できる。
【００３０】
また、外部機器である携帯電話からインターネットに接続してメニューを、宅内外、何時でも何所でもダウンロード出来るようにすることで、例えば会社からの帰りや、スーパーなど買い物途中でもインターネットに接続し、何を作りたいのかメニューの中から選択し調理に必要な食材を購入して帰ることが出来るようになり、帰宅後に調理データを高周波加熱装置に転送する事で、購入した食材で調理が出来るようになる。
【００３１】
さらに、既存の調理データをいつでも新調理データに自動更新することにより、失敗なく、おいしい調理が可能となるなどの効果がある。
【図面の簡単な説明】
【図１】本発明の一実施例における高周波加熱装置の外観斜視図である。
【図２】本発明の一実施例における高周波加熱装置のシステムブロック図である。
【図３】従来の高周波加熱装置のシステムブロック図である。
【符号の説明】
３・・・食品
４・・・加熱手段
５．・・制御手段
６・・・記憶手段
７・・・インターネット
１２・・・外部機器
１３・・・赤外線通信手段
【図１】
2004144409.tif 000003
【図２】
2004144409.tif 000004
【図３】
2004144409.tif 000005